(57)【要約】【課題】大型化及び高コスト化を招くことなく、光源の温度上昇を抑制することができる光源装置を提供する。【解決手段】光源装置は、複数の発光部を有する光源、及び該光源を駆動する駆動制御装置を有している。光源は、光源パッケージ１００Ｐに収容されて制御基板１４Ｂに実装されている。また、駆動制御装置は、駆動パッケージ２２Ｐに収容されて制御基板１４Ｂに実装されている。そして、駆動パッケージ２２Ｐの周囲に４つの放熱フィン１４Ｄが配置されている。この場合には、駆動パッケージ２２Ｐの温度上昇を抑制するとともに、駆動パッケージ２２Ｐから光源パッケージ１００Ｐへの熱の移動を従来よりも抑制することができる。従って、大型化及び高コスト化を招くことなく、光源の温度上昇を抑制することが可能となる。【選択図】図７
2010118504.tif 000002
【特許請求の範囲】
【請求項１】
複数の発光部を有する光源と；
前記光源を駆動する駆動回路と；
前記光源及び前記駆動回路が実装され、前記光源が実装される領域と前記駆動回路が実装される領域との間に、前記駆動回路からの熱に対する放熱機構を有する回路基板と；を備える光源装置。
【請求項２】
前記光源は前記回路基板の一側の面に実装され、前記駆動回路は前記回路基板の他側の面に実装され、
前記放熱機構は、前記回路基板内に該回路基板表面に平行に挿入された金属層を含むことを特徴とする請求項１に記載の光源装置。
【請求項３】
前記金属層は、前記駆動回路が実装される領域に対応する、前記回路基板内の一部分に設けられていることを特徴とする請求項２に記載の光源装置。
【請求項４】
前記放熱機構は、前記金属層にその一部が接して設けられた少なくとも１つの放熱フィンを含むことを特徴とする請求項２又は３に記載の光源装置。
【請求項５】
前記少なくとも１つの放熱フィンは、複数の放熱フィンであり、
前記複数の放熱フィンは、前記駆動回路が実装される領域の周囲に配置されていることを特徴とする請求項４に記載の光源装置。
【請求項６】
前記放熱機構は、前記少なくとも１つの放熱フィンに対して、前記回路基板の厚さ方向からみたときに、前記光源側から前記駆動回路側に向かう風を送る放熱ファンを含むことを特徴とする請求項４又は５に記載の光源装置。
【請求項７】
前記光源と前記駆動回路は、前記回路基板の厚さ方向からみたときに、互いに重ならないように配置されていることを特徴とする請求項１〜６のいずれか一項に記載の光源装置。
【請求項８】
前記光源及び前記駆動回路は、前記回路基板の同一の面に実装され、
前記放熱機構は、前記光源が実装される領域と前記駆動回路が実装される領域との間に配置された放熱フィンを含むことを特徴とする請求項１に記載の光源装置。
【請求項９】
前記放熱フィンは、一の方向の長さが他の方向の長さよりも長い形状の放熱フィンであり、該形状の長手方向が前記光源が実装される領域の中心と前記駆動回路が実装される領域の中心とを結ぶ仮想線に直交していることを特徴とする請求項８に記載の光源装置。
【請求項１０】
前記放熱機構は、複数の放熱フィンを含み、
前記複数の放熱フィンは、前記駆動回路が実装される領域の周囲に配置されていることを特徴とする請求項８又は９に記載の光源装置。
【請求項１１】
前記放熱機構は、前記光源側から前記駆動回路側に向かう風を送る放熱ファンを含むことを特徴とする請求項８〜１０のいずれか一項に記載の光源装置。
【請求項１２】
前記光源及び前記駆動回路は、いずれも四角形状のパッケージ内に収容され、
前記光源のパッケージは、前記駆動回路のパッケージの一の隅角部を通る対角線を延長した仮想的な直線によって、略２等分されるように配置されていることを特徴とする請求項７〜１１のいずれか一項に記載の光源装置。
【請求項１３】
前記複数の発光部を有する光源は、垂直共振器型の面発光レーザアレイであることを特徴とする請求項１〜１２のいずれか一項に記載の光源装置。
【請求項１４】
光束により被走査面を走査する光走査装置であって、
請求項１〜１３のいずれか一項に記載の光源装置と；
前記光源装置から出力される光束を偏向する偏向器と；
前記偏向器で偏向された光束を前記被走査面上に集光する走査光学系と；を備える光走査装置。
【請求項１５】
少なくとも１つの像担持体と；
前記少なくとも１つの像担持体を画像情報が含まれる光束により走査する少なくとも１つの請求項１４に記載の光走査装置と；を備える画像形成装置。
【請求項１６】
前記画像情報は、多色の画像情報であることを特徴とする請求項１５に記載の画像形成装置。
【発明の詳細な説明】
【技術分野】
【０００１】
本発明は、光源装置、光走査装置及び画像形成装置に係り、更に詳しくは、光源及び駆動回路が回路基板上に実装されている光源装置、該光源装置を備える光走査装置及び画像形成装置に関する。
【背景技術】
【０００２】
近年、レーザプリンタやデジタル複写機などの画像形成装置では、印字速度の向上（高速化）及び書込密度の向上（高密度化）が望まれている。そして、それらを達成する手段の１つとして、複数の発光部を有する光源を備えた光走査装置を用いて、１度に複数の光束により被走査面を走査することが考案された（例えば、特許文献１参照）。
【０００３】
しかしながら、画像形成装置の高速化及び高密度化に伴い、光源に駆動信号を供給する駆動回路での発熱量が増加する傾向にある。通常、駆動信号の遅延を抑制するため、駆動回路は光源の近くに設けられている。そこで、駆動回路の発熱に起因して、光源の寿命低下、画像品質の低下を招くおそれがあり、種々の放熱対策が提案された（例えば、特許文献２参照）。
【０００４】
【特許文献１】特開２００３−２８３０３１号公報
【特許文献２】特開２００５−７４９７８号公報
【発明の開示】
【発明が解決しようとする課題】
【０００５】
しかしながら、特許文献２に開示されている光走査装置では、放熱フィンと通気ダクトと排気ファンとを必要とするため、装置の大型化及び高コスト化を招くという不都合があった。
【０００６】
本発明は、かかる事情の下になされたもので、その第１の目的は、大型化及び高コスト化を招くことなく、光源の温度上昇を抑制することができる光源装置を提供することにある。
【０００７】
また、本発明の第２の目的は、大型化及び高コスト化を招くことなく、安定した光走査を行うことができる光走査装置を提供することにある。
【０００８】
また、本発明の第３の目的は、大型化及び高コスト化を招くことなく、高品質の画像を高速に形成することができる画像形成装置を提供することにある。
【課題を解決するための手段】
【０００９】
本発明は、第１の観点からすると、複数の発光部を有する光源と；前記光源を駆動する駆動回路と；前記光源及び前記駆動回路が実装され、前記光源が実装される領域と前記駆動回路が実装される領域との間に、前記駆動回路からの熱に対する放熱機構を有する回路基板と；を備える光源装置である。
【００１０】
これによれば、大型化及び高コスト化を招くことなく、光源の温度上昇を抑制することが可能となる。
【００１１】
本発明は、第２の観点からすると、光束により被走査面を走査する光走査装置であって、本発明の光源装置と；前記光源装置から出力される光束を偏向する偏向器と；前記偏向器で偏向された光束を前記被走査面上に集光する走査光学系と；を備える光走査装置である。
【００１２】
これによれば、本発明の光源装置を備えているため、その結果、大型化及び高コスト化を招くことなく、安定した光走査を行うことが可能となる。
【００１３】
本発明は、第３の観点からすると、少なくとも１つの像担持体と；前記少なくとも１つの像担持体を画像情報が含まれる光束により走査する少なくとも１つの本発明の光走査装置と；を備える画像形成装置である。
【００１４】
これによれば、本発明の光走査装置を備えているため、その結果、大型化及び高コスト化を招くことなく、高品質の画像を高速に形成することが可能となる。
【発明を実施するための最良の形態】
【００１５】
以下、本発明の一実施形態を図１〜図１２に基づいて説明する。図１には、一実施形態に係る画像形成装置としてのレーザプリンタ１０００の概略構成が示されている。
【００１６】
このレーザプリンタ１０００は、光走査装置１０１０、感光体ドラム１０３０、帯電チャージャ１０３１、現像ローラ１０３２、転写チャージャ１０３３、除電ユニット１０３４、クリーニングユニット１０３５、トナーカートリッジ１０３６、給紙コロ１０３７、給紙トレイ１０３８、レジストローラ対１０３９、定着ローラ１０４１、排紙ローラ１０４２、排紙トレイ１０４３、通信制御装置１０５０、及び上記各部を統括的に制御するプリンタ制御装置１０６０などを備えている。なお、これらは、プリンタ筐体１０４４の中の所定位置に収容されている。
【００１７】
通信制御装置１０５０は、ネットワークなどを介した上位装置（例えばパソコン）との双方向の通信を制御する。
【００１８】
感光体ドラム１０３０は、円柱状の部材であり、その表面には感光層が形成されている。すなわち、感光体ドラム１０３０の表面が被走査面である。そして、感光体ドラム１０３０は、図１における矢印方向に回転するようになっている。
【００１９】
帯電チャージャ１０３１、現像ローラ１０３２、転写チャージャ１０３３、除電ユニット１０３４及びクリーニングユニット１０３５は、それぞれ感光体ドラム１０３０の表面近傍に配置されている。そして、感光体ドラム１０３０の回転方向に沿って、帯電チャージャ１０３１→現像ローラ１０３２→転写チャージャ１０３３→除電ユニット１０３４→クリーニングユニット１０３５の順に配置されている。
【００２０】
帯電チャージャ１０３１は、感光体ドラム１０３０の表面を均一に帯電させる。
【００２１】
光走査装置１０１０は、帯電チャージャ１０３１で帯電された感光体ドラム１０３０の表面に、上位装置からの画像情報に基づいて変調された光束を照射する。これにより、感光体ドラム１０３０の表面に、画像情報に対応した潜像が形成される。ここで形成された潜像は、感光体ドラム１０３０の回転に伴って現像ローラ１０３２の方向に移動する。なお、この光走査装置１０１０の構成については後述する。
【００２２】
トナーカートリッジ１０３６にはトナーが格納されており、該トナーは現像ローラ１０３２に供給される。
【００２３】
現像ローラ１０３２は、感光体ドラム１０３０の表面に形成された潜像にトナーカートリッジ１０３６から供給されたトナーを付着させて画像情報を顕像化させる。ここでトナーが付着した潜像（以下では、便宜上「トナー像」ともいう）は、感光体ドラム１０３０の回転に伴って転写チャージャ１０３３の方向に移動する。
【００２４】
給紙トレイ１０３８には記録紙１０４０が格納されている。この給紙トレイ１０３８の近傍には給紙コロ１０３７が配置されており、該給紙コロ１０３７は、記録紙１０４０を給紙トレイ１０３８から１枚づつ取り出し、レジストローラ対１０３９に搬送する。該レジストローラ対１０３９は、給紙コロ１０３７によって取り出された記録紙１０４０を一旦保持するとともに、該記録紙１０４０を感光体ドラム１０３０の回転に合わせて感光体ドラム１０３０と転写チャージャ１０３３との間隙に向けて送り出す。
【００２５】
転写チャージャ１０３３には、感光体ドラム１０３０の表面上のトナーを電気的に記録紙１０４０に引きつけるために、トナーとは逆極性の電圧が印加されている。この電圧により、感光体ドラム１０３０の表面のトナー像が記録紙１０４０に転写される。ここで転写された記録紙１０４０は、定着ローラ１０４１に送られる。
【００２６】
定着ローラ１０４１では、熱と圧力とが記録紙１０４０に加えられ、これによってトナーが記録紙１０４０上に定着される。ここで定着された記録紙１０４０は、排紙ローラ１０４２を介して排紙トレイ１０４３に送られ、排紙トレイ１０４３上に順次スタックされる。
【００２７】
除電ユニット１０３４は、感光体ドラム１０３０の表面を除電する。
【００２８】
クリーニングユニット１０３５は、感光体ドラム１０３０の表面に残ったトナー（残留トナー）を除去する。残留トナーが除去された感光体ドラム１０３０の表面は、再度帯電チャージャ１０３１に対向する位置に戻る。
【００２９】
次に、前記光走査装置１０１０の構成について説明する。
【００３０】
この光走査装置１０１０は、図２に示されるように、光源装置１４、カップリングレンズ１５、開口板１６、シリンドリカルレンズ１７、ポリゴンミラー１３、偏向器側走査レンズ１１ａ、像面側走査レンズ１１ｂ、２つの光検知センサ（１８ａ、１８ｂ）、及び２つの光検知用ミラー（１９ａ、１９ｂ）などを備えている。そして、これらは、ハウジング２１の中の所定位置に組み付けられている。
【００３１】
なお、本明細書では、ＸＹＺ３次元直交座標系において、感光体ドラム１０３０の長手方向に沿った方向をＹ軸方向、各走査レンズ（１１ａ、１１ｂ）の光軸に沿った方向をＸ軸方向として説明する。また、以下では、便宜上、主走査方向に対応する方向を「主走査対応方向」と略述し、副走査方向に対応する方向を「副走査対応方向」と略述する。
【００３２】
光源装置１４は、複数の発光部を有する光源（光源１００という）、及び該光源１００を駆動する駆動制御装置（駆動制御装置２２という）を有している。
【００３３】
光源１００は、一例として図３に示されるように、３２個の発光部（ｖ１〜ｖ３２）が２次元的に配列されて１つの基板上に形成された２次元アレイである。図３におけるＭ方向は主走査対応方向であり、Ｓ方向は副走査対応方向（ここでは、Ｚ軸方向と同じ）である。また、Ｔ方向はＭ方向からＳ方向に向かって傾斜した方向である。なお、各発光部からの光束の射出方向をＲ方向とする。
【００３４】
この２次元アレイ１００は、Ｔ方向に沿って８個の発光部が等間隔に配置された発光部列を４列有している。そして、これら４列の発光部列は、すべての発光部をＳ方向に伸びる仮想線上に正射影したときに等間隔となるように配置されている。なお、本明細書では、「発光部間隔」とは２つの発光部の中心間距離をいう。
【００３５】
また、各発光部は、７８０ｎｍ帯の垂直共振器型の面発光レーザ（Ｖｅｒｔｉｃａｌ  Ｃａｖｉｔｙ  Ｓｕｒｆａｃｅ  Ｅｍｉｔｔｉｎｇ  Ｌａｓｅｒ：ＶＣＳＥＬ）である。すなわち、光源１００は、３２個の発光部を有する面発光レーザアレイである。
【００３６】
光源１００は、一例として図４に示されるように、ＱＦＰ（Ｑｕａｄ  Ｆｌａｔ  Ｐａｃｋａｇｅ）タイプのパッケージ１００Ｐ内に収容されている。図４における端子ｉｎ０１〜ｉｎ３２は発光部ｖ１〜ｖ３２に対応し、それぞれの駆動信号が入力される入力端子である。以下では、便宜上、光源１００が収容されているパッケージ１００Ｐを「光源パッケージ１００Ｐ」ともいう。
【００３７】
図２に戻り、カップリングレンズ１５は、光源装置１４から射出された光束を略平行光とする。
【００３８】
開口板１６は、開口部を有し、カップリングレンズ１５を介した光束のビーム径を規定する。
【００３９】
シリンドリカルレンズ１７は、開口板１６の開口部を通過した光束を、ポリゴンミラー１３の偏向反射面近傍に副走査対応方向（ここでは、Ｚ軸方向）に関して結像する。
【００４０】
光源装置１４とポリゴンミラー１３との間の光路上に配置される光学系は、偏向器前光学系とも呼ばれている。本実施形態では、偏向器前光学系は、カップリングレンズ１５と開口板１６とシリンドリカルレンズ１７とから構成されている。
【００４１】
ポリゴンミラー１３は、４面鏡を有し、各鏡がそれぞれ偏向反射面となる。このポリゴンミラー１３は、Ｚ軸方向に平行な軸の周りに等速回転し、シリンドリカルレンズ１７からの光束を偏向する。
【００４２】
偏向器側走査レンズ１１ａは、ポリゴンミラー１３で偏向された光束の光路上に配置されている。
【００４３】
像面側走査レンズ１１ｂは、偏向器側走査レンズ１１ａを介した光束の光路上に配置されている。そして、この像面側走査レンズ１１ｂを介した光束が感光体ドラム１０３０の表面に照射され、光スポットが形成される。この光スポットは、ポリゴンミラー１３の回転に伴って感光体ドラム１０３０の長手方向に移動する。すなわち、感光体ドラム１０３０上を走査する。このときの光スポットの移動方向が「主走査方向」である。また、感光体ドラム１０３０の回転方向が「副走査方向」である。
【００４４】
ポリゴンミラー１３と感光体ドラム１０３０との間の光路上に配置される光学系は、走査光学系とも呼ばれている。本実施形態では、走査光学系は、偏向器側走査レンズ１１ａと像面側走査レンズ１１ｂとから構成されている。なお、偏向器側走査レンズ１１ａと像面側走査レンズ１１ｂの間の光路上、及び像面側走査レンズ１１ｂと感光体ドラム１０３０の間の光路上の少なくとも一方に、少なくとも１つの折り返しミラーが配置されても良い。
【００４５】
光検知センサ１８ａには、ポリゴンミラー１３で偏向され、走査光学系を介した光束のうち書き込み開始前の光束の一部が、光検知用ミラー１９ａを介して入射する。また、光検知センサ１８ｂには、ポリゴンミラー１３で偏向され、走査光学系を介した光束のうち書き込み終了後の光束の一部が、光検知用ミラー１９ｂを介して入射する。
【００４６】
各光検知センサはいずれも、受光量に応じた電気信号（光電変換信号）を生成し、駆動制御装置２２に出力する。
【００４７】
駆動制御装置２２は、一例として図５に示されるように、画素クロック生成回路２１５、画像処理回路２１６、書込制御回路２１９、及び光源駆動回路２２１などを有している。なお、図５における矢印は、代表的な信号や情報の流れを示すものであり、各ブロックの接続関係の全てを表すものではない。
【００４８】
画素クロック生成回路２１５は、光検知センサ１８ａの出力信号と光検知センサ１８ｂの出力信号とから、各光検知センサの間を光束が走査するのに要した時間を求め、その時間に予め設定されている数のパルスが収まるように周波数を設定し、該周波数の画素クロック信号ＰＣＬＫを生成する。ここで生成された画素クロック信号ＰＣＬＫは、画像処理回路２１６及び書込制御回路２１９に供給される。また、光検知センサ１８ａの出力信号は、同期信号として書込制御回路２１９に出力される。
【００４９】
画像処理回路２１６は、通信制御装置１０５０及びプリンタ制御装置１０６０を介して上位装置から受信した画像情報をラスター展開するとともに、所定の中間調処理などを行った後、画素クロック信号ＰＣＬＫを基準とした各画素の階調を表す画像データを発光部毎に作成する。そして、画像処理回路２１６は、光検知センサ１８ａの出力信号に基づいて走査開始を検出すると、画素クロック信号ＰＣＬＫに同期して画像データを書込制御回路２１９に出力する。
【００５０】
書込制御回路２１９は、画像処理回路２１６からの画像データ、画素クロック生成回路２１５からの画素クロック信号ＰＣＬＫ及び同期信号に基づいてパルス変調信号を生成する。
【００５１】
光源駆動回路２２１は、書込制御回路２１９からのパルス変調信号に基づいて２次元アレイ１００の各発光部を駆動する。
【００５２】
駆動制御装置２２は、一例として図６に示されるように、ＱＦＰタイプのパッケージ２２Ｐ内に収容されている。従って、画素クロック生成回路２１５、画像処理回路２１６、書込制御回路２１９及び光源駆動回路２２１は、互いに近接して配置されている。これらの回路が互いに近接して配置されているため、各回路間において高周波クロックや各種信号などを品質良く授受することができ、画像形成装置の高速化、高密度化を達成できる。図６における端子ｏｕｔ０１〜ｏｕｔ３２は発光部ｖ１〜ｖ３２に対応し、それぞれの駆動信号が出力される出力端子である。以下では、便宜上、駆動制御装置２２が収容されているパッケージ２２Ｐを「駆動パッケージ２２Ｐ」ともいう。ここでは、端子ｏｕｔ０１〜ｏｕｔ３２は、駆動パッケージ２２Ｐの一の隅角部Ｃを形成する２つの辺の近傍に配置されている。
【００５３】
光源パッケージ１００Ｐ及び駆動パッケージ２２Ｐは、一例として図７及び図８に示されるように、いずれも制御基板１４Ｂの＋Ｒ側の面に実装されている。
【００５４】
また、制御基板１４Ｂには、駆動パッケージ２２Ｐの周囲に４つの放熱フィン１４Ｄが設けられている。
【００５５】
各放熱フィン１４Ｄは、図７のＡ−Ａ断面図である図９に示されるように、−Ｒ側の端部が制御基板１４Ｂのグラウンドパターンに接している。
【００５６】
また、各放熱フィン１４Ｄは、一の方向の長さが他の方向の長さよりも長い形状である。
【００５７】
そして、駆動パッケージ２２Ｐと光源パッケージ１００Ｐの間に位置する放熱フィン１４Ｄは、図１０に示されるように、その長手方向が駆動パッケージ２２Ｐの中心と光源パッケージ１００Ｐの中心とを結ぶ仮想線に直交するように配置されている。
【００５８】
さらに、一例として図１１に示されるように、光源パッケージ１００Ｐ側から駆動パッケージ２２Ｐ側に向かう風を送る放熱ファン２２Ｘが設けられている。
【００５９】
なお、放熱ファン２２Ｘは、一例として図１２に示されるように、ハウジング２１に取り付けられている。
【００６０】
以上の説明から明らかなように、本実施形態に係る光源装置１４では、駆動制御装置２２によって駆動回路が構成され、制御基板１４Ｂによって回路基板が構成されている。
【００６１】
以上説明したように、本実施形態に係る光源装置１４によると、複数の発光部を有する光源１００は、光源パッケージ１００Ｐに収容されて制御基板１４Ｂに実装されている。また、光源１００を駆動する駆動制御装置２２は、駆動パッケージ２２Ｐに収容されて制御基板１４Ｂに実装されている。そして、駆動パッケージ２２Ｐの周囲に４つの放熱フィン１４Ｄが配置されている。
【００６２】
この場合には、駆動パッケージ２２Ｐの温度上昇を抑制するとともに、駆動パッケージ２２Ｐから光源パッケージ１００Ｐへの熱の移動を従来よりも抑制することができる。従って、大型化及び高コスト化を招くことなく、光源１００の温度上昇を抑制することが可能となる。
【００６３】
また、各放熱フィン１４Ｄは、−Ｒ側の端部が制御基板１４Ｂのグラウンドパターンに接しているため、駆動パッケージ２２Ｐからグラウンドパターンを介して光源パッケージ１００Ｐに伝わる熱量を低減することができる。
【００６４】
また、駆動パッケージ２２Ｐと光源パッケージ１００Ｐの間に位置する放熱フィン１４Ｄの長手方向が、駆動パッケージ２２Ｐの中心と光源パッケージ１００Ｐの中心とを結ぶ仮想線に直交しているため、駆動パッケージ２２Ｐからの熱が最短距離で光源パッケージ１００Ｐに伝わるのを抑制することができる。
【００６５】
また、光源パッケージ１００Ｐ側から駆動パッケージ２２Ｐ側に向かう風を送る放熱ファン２２Ｘが設けられているため、放熱フィン１４Ｄから放出された熱が光源パッケージ１００Ｐ側に移行するのを抑制することができる。
【００６６】
そして、本実施形態に係る光走査装置１０１０によると、光源装置１４を備えているため、大型化及び高コスト化を招くことなく、安定した光走査を行うことが可能となる。
【００６７】
また、本実施形態に係るレーザプリンタ１０００によると、光走査装置１０１０を備えているため、結果として、大型化及び高コスト化を招くことなく、高品質の画像を高速で形成することが可能となる。
【００６８】
なお、上記実施形態において、駆動パッケージ２２Ｐの発熱量があまり多くない場合には、放熱ファン２２Ｘが設けられなくても良い。
【００６９】
また、上記実施形態では、４つの放熱フィン１４Ｄの長さがほぼ等しい場合について説明したが、これに限定されるものではない。例えば、駆動パッケージ２２Ｐと光源パッケージ１００Ｐとの間に配置されている放熱フィン１４Ｄの長さに比べて、他の放熱フィン１４Ｄの長さが短くても良い。
【００７０】
また、上記実施形態では、駆動パッケージ２２Ｐの周囲に４つの放熱フィン１４Ｄが設けられている場合について説明したが、駆動パッケージ２２Ｐの発熱量があまり多くない場合には、放熱フィン１４Ｄの数が４より少なくても良い。例えば、放熱フィン１４Ｄの数が３つの場合が図１３に示されている。そして、放熱フィン１４Ｄの数が１つの場合が図１４に示されている。
【００７１】
また、上記実施形態では、駆動パッケージ２２Ｐと光源パッケージ１００ＰがＭ方向に沿って配置される場合について説明したが、これに限定されるものではない。例えば、図１５に示されるように、駆動パッケージ２２Ｐの隅角部Ｃを通る対角線ＶＬ１を延長した仮想的な直線と光源パッケージ１００Ｐの一の対角線ＶＬ２を延長した仮想的な直線とがほぼ一致するように配置されても良い。
【００７２】
この場合に、駆動パッケージ２２Ｐと光源パッケージ１００Ｐの間にＬ字型の放熱フィン１４Ｄが設けられても良い。この場合であっても、上記実施形態と同様な効果を得ることができる。
【００７３】
また、図１６に示されるように、光源パッケージ１００Ｐの各辺が、駆動パッケージ２２Ｐの一の隅角部を通る対角線を延長した仮想的な直線に平行あるいは直交するように配置され、該仮想的な直線によって、Ｒ方向からみたときに、光源パッケージ１００Ｐが略２等分されるように配置されても良い。この場合であっても、上記実施形態と同様な効果を得ることができる。
【００７４】
また、上記Ｌ字型の放熱フィン１４Ｄに代えて、図１７及び図１８に示されるように、上記実施形態と同様な形状の放熱フィン１４Ｄを、その長手方向が、駆動パッケージ２２Ｐの中心と光源パッケージ１００Ｐの中心とを結ぶ仮想線に直交するように配置しても良い。
【００７５】
また、上記実施形態では、光源パッケージ１００Ｐと駆動パッケージ２２Ｐが、制御基板１４Ｂの同じ面に実装されている場合について説明したが、これに限らず、光源パッケージ１００Ｐ及び駆動パッケージ２２Ｐが、制御基板１４Ｂの異なる面に実装されても良い。
【００７６】
例えば、図１９及び図２０に示されるように、光源パッケージ１００Ｐが制御基板１４Ｂの＋Ｒ側の面に実装され、駆動パッケージ２２Ｐが制御基板１４Ｂの−Ｒ側の面に実装されても良い。
【００７７】
この場合に、一例として図１９のＡ−Ａ断面図である図２１に示されるように、制御基板１４Ｂ内に金属板１４Ｅを制御基板１４Ｂの表面に平行に挿入しても良い。これによって、駆動パッケージ２２Ｐの熱が光源パッケージ１００Ｐに伝わるのを抑制することができる。そして、更に、金属板１４Ｅの端部に放熱フィン１４Ｄを設けても良い。
【００７８】
この場合に、一例として図２２に示されるように、Ｒ方向からみたときに、光源パッケージ１００Ｐ側から駆動パッケージ２２Ｐ側に向かう風を送る放熱ファン２２Ｘが設けられても良い。
【００７９】
また、一例として図２３、図２４、図２３のＡ−Ａ断面図である図２５に示されるように、制御基板１４Ｂ内における駆動パッケージ２２Ｐの＋Ｒ側の一部分に、金属板１４Ｅを制御基板１４Ｂの表面に平行に挿入しても良い。
【００８０】
この場合に、駆動パッケージ２２Ｐの周囲に、一端が金属板１４Ｅに接している４つの放熱フィン１４Ｄを設けても良い。
【００８１】
さらに、この場合に、一例として図２６に示されるように、Ｒ方向からみたときに、光源パッケージ１００Ｐ側から駆動パッケージ２２Ｐ側に向かう風を送る放熱ファン２２Ｘが設けられても良い。
【００８２】
また、上記実施形態では、光源１００における発光部の数が３２個の場合について説明したが、本発明がこれに限定されるものではない。
【００８３】
なお、上記実施形態では、画像形成装置としてレーザプリンタ１０００の場合について説明したが、これに限定されるものではない。要するに、光走査装置１０１０を備えた画像形成装置であれば良い。
【００８４】
例えば、前記光走査装置１０１０を備え、レーザ光によって発色する媒体（例えば、用紙）に直接、レーザ光を照射する画像形成装置であっても良い。
【００８５】
また、像担持体として銀塩フィルムを用いた画像形成装置であっても良い。この場合には、光走査により銀塩フィルム上に潜像が形成され、この潜像は通常の銀塩写真プロセスにおける現像処理と同等の処理で可視化することができる。そして、通常の銀塩写真プロセスにおける焼付け処理と同等の処理で印画紙に転写することができる。このような画像形成装置は光製版装置や、ＣＴスキャン画像等を描画する光描画装置として実施できる。
【００８６】
また、例えば、図２７に示されるように、複数の感光体ドラムを備えるカラープリンタ２０００であっても良い。
【００８７】
このカラープリンタ２０００は、４色（ブラック、シアン、マゼンタ、イエロー）を重ね合わせてフルカラーの画像を形成するタンデム方式の多色カラープリンタであり、ブラック用の「感光体ドラムＫ１、帯電装置Ｋ２、現像装置Ｋ４、クリーニングユニットＫ５、及び転写装置Ｋ６」と、シアン用の「感光体ドラムＣ１、帯電装置Ｃ２、現像装置Ｃ４、クリーニングユニットＣ５、及び転写装置Ｃ６」と、マゼンタ用の「感光体ドラムＭ１、帯電装置Ｍ２、現像装置Ｍ４、クリーニングユニットＭ５、及び転写装置Ｍ６」と、イエロー用の「感光体ドラムＹ１、帯電装置Ｙ２、現像装置Ｙ４、クリーニングユニットＹ５、及び転写装置Ｙ６」と、光走査装置２０１０と、転写ベルト２０８０と、定着ユニット２０３０などを備えている。
【００８８】
各感光体ドラムは、図２７中の矢印の方向に回転し、各感光体ドラムの周囲には、回転方向に沿って帯電装置、現像装置、転写装置、クリーニングユニットがそれぞれ配置されている。各帯電装置は、対応する感光体ドラムの表面を均一に帯電する。この帯電装置によって帯電された各感光体ドラム表面に光走査装置２０１０により光が照射され、各感光体ドラムに潜像が形成されるようになっている。そして、対応する現像装置により各感光体ドラム表面にトナー像が形成される。さらに、対応する転写装置により、記録紙に各色のトナー像が転写され、最終的に定着ユニット２０３０により記録紙に画像が定着される。
【００８９】
光走査装置２０１０は、前記光源装置１４と同様な光源装置、前記偏向器前光学系と同様な偏向器前光学系、及び前記走査光学系と同様な走査光学系を、それぞれ色毎に有している。
【００９０】
そして、各光源装置から射出された光束は、対応する偏向器前光学系を介して共通のポリゴンミラーで偏向され、対応する走査光学系を介して対応する感光体ドラムに照射される。
【００９１】
従って、光走査装置２０１０は、前記光走査装置１０１０と同様な効果を得ることができる。そして、カラープリンタ２０００は、前記レーザプリンタ１０００と同様な効果を得ることができる。
【００９２】
なお、このカラープリンタ２０００において、光走査装置を１色毎に設けても良いし、２色毎に設けても良い。
【産業上の利用可能性】
【００９３】
以上説明したように、本発明の光源装置によれば、大型化及び高コスト化を招くことなく、光源の温度上昇を抑制するのに適している。また、本発明の光走査装置によれば、大型化及び高コスト化を招くことなく、安定した光走査を行うのに適している。また、本発明の画像形成装置によれば、大型化及び高コスト化を招くことなく、高品質の画像を高速で形成するのに適している。
【図面の簡単な説明】
【００９４】
【図１】本発明の一実施形態に係るレーザプリンタの概略構成を説明するための図である。
【図２】図１における光走査装置の概略構成を説明するための図である。
【図３】光源の複数の発光部を説明するための図である。
【図４】光源パッケージを説明するための図である。
【図５】駆動制御装置の構成を説明するためのブロック図である。
【図６】駆動パッケージを説明するための図である。
【図７】制御基板における光源パッケージ及び駆動パッケージの実装状態を説明するための図（その１）である。
【図８】制御基板における光源パッケージ及び駆動パッケージの実装状態を説明するための図（その２）である。
【図９】図７のＡ−Ａ断面図である。
【図１０】放熱フィンの配置を説明するための図である。
【図１１】放熱ファンを説明するための図である。
【図１２】放熱ファンの配置位置を説明するための図である。
【図１３】光源装置の変形例１を説明するための図である。
【図１４】光源装置の変形例２を説明するための図である。
【図１５】光源装置の変形例３を説明するための図である。
【図１６】光源装置の変形例４を説明するための図である。
【図１７】光源装置の変形例５を説明するための図である。
【図１８】光源装置の変形例６を説明するための図である。
【図１９】光源装置の変形例７を説明するための図（その１）である。
【図２０】光源装置の変形例７を説明するための図（その２）である。
【図２１】図１９のＡ−Ａ断面図である。
【図２２】光源装置の変形例７における放熱ファンを説明するための図である。
【図２３】光源装置の変形例８を説明するための図（その１）である。
【図２４】光源装置の変形例８を説明するための図（その２）である。
【図２５】図２３のＡ−Ａ断面図である。
【図２６】光源装置の変形例８における放熱ファンを説明するための図である。
【図２７】カラープリンタの概略構成を説明するための図である。
【符号の説明】
【００９５】
１１ａ…偏向器側走査レンズ（走査光学系の一部）、１１ｂ…像面側走査レンズ（走査光学系の一部）、１３…ポリゴンミラー（偏向器）、１４…光源装置、１４Ｂ…制御基板（回路基板）、１４Ｄ…放熱フィン、１４Ｅ…金属板（金属層）、２２…駆動制御装置（駆動回路）、２２Ｐ…駆動パッケージ、２２Ｘ…放熱ファン、１００…光源（面発光レーザ）、１００Ｐ…光源パッケージ、１０００…レーザプリンタ（画像形成装置）、１０１０…光走査装置、１０３０…感光体ドラム（像担持体）、２０００…カラープリンタ（画像形成装置）、２０１０…光走査装置、Ｋ１，Ｃ１，Ｍ１，Ｙ１…感光体ドラム（像担持体）。
【図１】
2010118504.tif 000003
【図２】
2010118504.tif 000004
【図３】
2010118504.tif 000005
【図４】
2010118504.tif 000006
【図５】
2010118504.tif 000007
【図６】
2010118504.tif 000008
【図７】
2010118504.tif 000009
【図８】
2010118504.tif 000010
【図９】
2010118504.tif 000011
【図１０】
2010118504.tif 000012
【図１１】
2010118504.tif 000013
【図１２】
2010118504.tif 000014
【図１３】
2010118504.tif 000015
【図１４】
2010118504.tif 000016
【図１５】
2010118504.tif 000017
【図１６】
2010118504.tif 000018
【図１７】
2010118504.tif 000019
【図１８】
2010118504.tif 000020
【図１９】
2010118504.tif 000021
【図２０】
2010118504.tif 000022
【図２１】
2010118504.tif 000023
【図２２】
2010118504.tif 000024
【図２３】
2010118504.tif 000025
【図２４】
2010118504.tif 000026
【図２５】
2010118504.tif 000027
【図２６】
2010118504.tif 000028
【図２７】
2010118504.tif 000029